(57)【要約】  【課題】譜面板の高さを十分に確保しつつ、天板等の譜面板設置台の奥行長を短くすることができる譜面台装置を提供する。  【解決手段】  設置台に譜面板を立倒自在に設ける譜面台装置において、設置台に固定され使用者に対する接近離反方向に延びるガイド部材３１と、該ガイド部材にガイドされて摺動し、使用者に対し接近する側への前進及び離反する側への後退が可能な被ガイド部材３２と、該被ガイド部材に支持された譜面板４０と、該譜面板を立倒自在とするように回動可能に支持する回動支持部５０と、譜面板を立てた状態に保持し且つ該保持を解除し得るロック機構６０とを備えさせた。【選択図】  図１
2005128353.tif 000002
【特許請求の範囲】
【請求項１】
設置台に譜面板を立倒自在に設ける譜面台装置であって、
設置台に固定され使用者に対する接近離反方向に延びるガイド部材と、
前記譜面板を支持すると共に、前記ガイド部材にガイドされて摺動し、使用者に対し接近する側への前進及び離反する側への後退が可能な被ガイド部材と、
該譜面板を立倒自在とするように回動可能に支持する回動支持部と、
譜面板を立てた状態に保持し且つ該保持を解除し得るロック機構と
を備えたことを特徴とする譜面台装置。
【請求項２】
前記回動支持部が、回動中心となる軸部と、該軸部を受け入れて支持する受容部とを回動支持部構成部材として備えており、該軸部及び受容部は、前記設置台及び譜面板の一方及び他方にいずれかが装着されて相互に係脱可能とされており、前記回動支持部構成部材の内、前記設置台に備えられた回動支持部構成部材は、前記譜面板が使用者に対する離反側の摺動端に移動したときに、前記譜面板に備えられた回動支持部構成部材と係合し、前記被ガイド部材を固定した状態で前記譜面板を回動可能とするように配置されていることを特徴とする請求項１に記載の譜面台装置。
【請求項３】
前記ロック機構は、譜面板を立設状態に保持する保持位置及び該保持位置から離脱した位置に移動可能な移動部材を備え、譜面板が倒伏状態から立設状態に至るまでの範囲にある時に前記移動部材を前記保持位置から外れた位置とし、譜面板が前記立設状態に至ったときに前記移動部材を前記保持位置に至らせることにより譜面板を該立設状態に保持し、譜面板を立設状態からさらに立てる方向に回動した後、元の側へ倒すときに、前記移動部材を前記保持位置から外して譜面板を倒伏可能とすることを特徴とする請求項１又は２に記載の譜面台装置。
【請求項４】
前記ロック機構が、
弾性部材による前記保持位置に向く付勢力を受けた状態で前記設置台に往復動可能に支持された前記移動部材と、
前記譜面板に設けられ、前記軸部と受容部とが係合した状態において、該譜面板が倒伏状態から立設状態に至るまでの範囲にある時に前記移動部材に当接し前記付勢力に抗して該移動部材の位置を保持する当接部、及び前記譜面板が立設状態に至ったときに前記当接部から外れ前記付勢力に従って前進する前記移動部材を受け入れることにより該移動部材に支持されて譜面板の倒伏を制止する凹入部を有した制止部材と、
前記譜面板に設けられ、該譜面板を立設状態からさらに立てる方向に回動したときに前記移動部材を前記弾性部材の付勢力に抗して前記保持位置から後退させる押圧部と、
前記移動部材に係脱可能であり該移動部材に向けて付勢され、前部に脱離部、後部に保持部を備えた仮止め部材とを備え、
前記保持部は、前記押圧部により前記保持位置から後退させられ前記制止部材の凹入部から外れた位置に至った前記移動部材に係合して該移動部材を保持し、前記脱離部は、譜面板が立設状態から倒伏状態へ至る途中で譜面板の一部に接触して該仮止め部材を付勢力に抗して移動させ前記保持部を前記移動部材との係合から外すように設けられていることを特徴とする請求項３に記載の譜面台装置。
【請求項５】
前記ロック機構は、
前記譜面板を支持する支持部材と、該支持部材に設けられ、複数のパスを有するガイド溝と、
前記譜面板に結合され、前記パスと係合し、該パス内を移動可能とする移動部材とを備え、
前記ガイド溝は、前記移動部材を譜面板立設時に案内する立設パスと、倒伏時に案内する倒伏パスと、前記両パスの間に設けた保持パスとを備えており、前記移動部材を前記ガイド溝に沿って循環させるように形成され、
前記ガイド溝は、前記譜面板を立設側から僅かに倒伏側に戻すことにより前記移動部材を前記保持パスに受け入れて立設状態に保持し、再び譜面板を立設側へ回動することにより前記移動部材を前記保持パスから前記倒伏パスへ移動させて譜面板の倒伏を可能とするように構成されていることを特徴とする請求項１〜３に記載の譜面台装置。
【発明の詳細な説明】
【技術分野】
【０００１】
本発明は、鍵盤楽器の譜面台装置に関する。本発明を適用し得る鍵盤楽器としては、電子ピアノ、電子オルガン等の電子鍵盤楽器の他、アコースティックピアノ、パイプオルガン、チェンバロ、チェレスタ等、鍵盤や楽音制御用操作子を備えた楽器が含まれる。
【背景技術】
【０００２】
従来の鍵盤楽器の譜面板に関しては、例えば特開平１１−１０９９４７号公報（特許文献１）に記載の譜面台装置が知られている。しかしながら、この譜面台装置の構造では、譜面板の高さが譜面板の下端にある回動軸から譜面板設置台である天板の奥行長の範囲に限定される。すなわち、譜面板の高さが天板の奥行長よりも大きい場合、譜面板を使用しない状態（譜面板を後方に倒した状態）において、譜面板の下端部を中心に譜面板が回動することになるので、天板の奥行長を超えた譜面板の一部が鍵盤楽器の後方から飛び出した状態となる。
【０００３】
また近年、鍵盤楽器自体の大きさもコンパクト化されているため、譜面板の高さを天板の奥行長に合わせて設計すると、譜面板の高さが不十分となり、譜面を載置した際に十分に安定しない。すなわち、鍵盤楽器全体をコンパクトに設計するために天板の奥行長を短くすると、譜面板の高さを、譜面板を倒した際に該譜面板が後方にはみ出さない程度の高さにしなければならない。このような場合、譜面板の高さが標準的な譜面板の高さよりも相当低くなり、譜面を安定して載置することが困難となるという欠点があった。
【特許文献１】特開平１１−１０９９４７号公報（段落０００３、図３）
【発明の開示】
【発明が解決しようとする課題】
【０００４】
本発明は、譜面板の高さを十分に確保しつつ、天板等の譜面板設置台の奥行長を短くすることができる譜面台装置を提供することを目的とする。
【課題を解決するための手段】
【０００５】
本発明は、前記目的を達成するため、設置台に譜面板を立倒自在に設ける譜面台装置であって、設置台に固定され使用者に対する接近離反方向に延びるガイド部材と、前記譜面板を支持すると共に、前記ガイド部材にガイドされて摺動し、使用者に対し接近する側への前進及び離反する側への後退が可能な被ガイド部材と、該譜面板を立倒自在とするように回動可能に支持する回動支持部と、譜面板を立てた状態に保持し且つ該保持を解除し得るロック機構とを備えたことを特徴とする譜面台装置を提供するものである。
【０００６】
この譜面台装置においては、ガイド部材が設置台に装着され被ガイド部材を使用者に対する接近側への前進及び離反側への案内をし、譜面板は該被ガイド部材に装着されているので、譜面板を使用する場合はガイド部材に沿って設置台上の後方に移動し、或いは前後の適宜の位置に至らせればよい。そして、回動支持部を中心に譜面板を立てロック機構で立てた状態を保持することができる。一方、不使用時等に譜面板を倒す場合は、ガイド部材に沿って譜面板を前方に引き寄せることができる。これにより、譜面板を倒した状態においても、譜面板の後端部が設置台から突出するのを回避することができる。すなわち、譜面板を前方へ移動させることができる距離分、譜面板を設置台の奥行き寸法より大きくしても、倒した譜面板が設置台から後方へ突出しないようにすることができる。したがって、譜面板の高さを十分に確保しつつ、天板等の譜面板設置台の奥行長を短くすることが可能となる。
【０００７】
前記回動支持部は、回動中心となる軸部と、該軸部を受け入れて支持する受容部とを回動支持部構成部材として備えており、該軸部及び受容部は、前記設置台及び譜面板の一方及び他方にいずれかが装着されて相互に係脱可能とされており、前記回動支持部構成部材の内、前記設置台に備えられた回動支持部構成部材は、前記譜面板が使用者に対する離反側の摺動端に移動したときに前記譜面板の回動支持部構成部材と係合し、前記被ガイド部材を固定した状態で前記譜面板を回動可能とするように配置されているのが望ましい。
【０００８】
このように、軸部及びこれを受け入れて支持する受容部を備えた回動支持部構成部材の一方を、譜面板が使用者に対する離反側の摺動端に移動したときに前記譜面板の回動支持部構成部材と係合するように配置することにより、前記被ガイド部材を固定した状態で前記譜面板を回動可能となるので、簡易な操作で譜面板の立設状態を安定させることができる。
【０００９】
前記ロック機構は、譜面板を立設状態に保持する保持位置及び該保持位置から離脱した位置に移動可能な移動部材を備え、譜面板が倒伏状態から立設状態に至るまでの範囲にある時に前記移動部材を前記保持位置から外れた位置とし、譜面板が前記立設状態に至ったときに前記移動部材を前記保持位置に至らせることにより譜面板を該立設状態に保持し、譜面板を立設状態からさらに立てる方向に回動した後、元の側へ倒すときに、前記移動部材を前記保持位置から外して譜面板を倒伏可能とするのが望ましい。
【００１０】
この移動部材を備えることにより、譜面板は、倒伏状態から立設状態に至るまでの範囲では移動部材に拘束されることなく操作でき、立設状態に至ると該立設状態に保持され、立設状態からさらに立てる方向に回動した後に元の側へ倒すと移動部材に拘束されることなく倒すことができる。このように、簡単な操作で、譜面板の立設と倒伏を行なうことができる。
【００１１】
前記ロック機構は、弾性部材による前記保持位置に向く付勢力を受けた状態で前記設置台に往復動可能に支持された前記移動部材と、前記譜面板に設けられ、該譜面板が倒伏状態から立設状態に至るまでの範囲にある時に前記移動部材に当接し前記付勢力に抗して該移動部材の位置を保持する当接部、及び前記譜面板が立設状態に至ったときに前記当接部から外れ前記付勢力に従って前進する前記移動部材を受け入れることにより該移動部材に支持されて譜面板の倒伏を制止する凹入部を有した制止部材と、前記譜面板に設けられ、該譜面板を立設状態からさらに立てる方向に回動したときに前記移動部材を前記弾性部材の付勢力に抗して前記保持位置から後退させる押圧部と、前記移動部材に係脱可能であり該移動部材に向けて付勢され、前部に脱離部、後部に保持部を備えた仮止め部材とを備え、前記保持部は、前記押圧部により前記保持位置から後退させられ前記制止部材の凹入部から外れた位置に至った前記移動部材に係合して該移動部材を保持し、前記脱離部は、譜面板が立設状態から倒伏状態へ至る途中で譜面板の一部に接触して該仮止め部材を付勢力に抗して移動させ前記保持部を前記移動部材との係合から外すように設けられているものとすることができる。
【００１２】
この構成によれば、譜面板を立設状態に至らしめるまでは制止部材の当接部で移動部材を後方に押し留め、立設状態に至ったときに凹入部で移動部材を受け入れて該移動部材により支持されて譜面板の立設状態を安定的に保持することができる。また、譜面板を立設状態からさらに立てる方向に回動したときに、仮止め部材の押圧部が移動部材を後方へ移動させて一旦保持部に保持させ、移動部材と制止部材との接触を回避して譜面板の倒伏を可能とする。そして、倒伏途中において脱離部が作用して移動部材を保持部から開放し、制止部材の当接部に当接した状態に戻して、操作の繰り返しを可能にする。このように、簡単な操作で、譜面板の安定した立設状態を得ることができ、倒伏させることができる。
【００１３】
前記ロック機構は、前記設置台に設けられガイド溝を備えた支持部材と、前記譜面板に結合され、前記ガイド溝に係合する前記移動部材とを備え、前記ガイド溝は、譜面板を立てる方向に回動するときに前記移動部材を案内する立設パスと、譜面板を倒す方向に回動するときに前記移動部材を案内する倒伏パスと、該立設パス及び倒伏パスの間における譜面板立設側の端部付近に形成され譜面板を立設状態に保持するように移動部材を受け入れる保持パスとを備え、該立設パスの立設側端部は該立設パスを横切る方向に延びる第１連絡パスにより前記保持パスに連絡され、該保持パスの立設側端部は前記第１連絡パスよりも立設側の位置にあり該保持パスを横切る方向に延びる第２連絡パスにより前記倒伏パスに連絡されており、前記立設パス及び倒伏パスは倒伏側部分において相互に接続しており、前記支持部材と移動部材とは、前記移動部材が、前記立設パスの立設側端部に位置したときに前記第１連絡パスを経て前記保持パスへ移動し、前記保持パスの立設側端部に位置したときに前記第２連絡パスを経て倒伏パスへ移動するように、両部材間に介在する弾性部材により相互間で付勢されており、さらに、前記移動部材が前記立設パスと倒伏パスとの接続箇所にあるときに、該移動部材の倒伏パスから立設パスへの移動を許容し、逆方向の移動を阻止する方向制限手段が設けられているものとすることができる。
【００１４】
この構成によれば、譜面板の移動部材は、設置台に設けられた支持部材のガイド溝により案内されて、立設操作時には立設パスから第１連絡パスを経て保持パスに至り、譜面板の立設状態が保持される。この状態からさらに譜面板を立てる方向に回動すると、移動部材が保持パスから第２連絡パスを経て倒伏パスに至り、譜面板を倒伏させることが可能となる。これらの連絡パスを経る移動部材の移動は、支持部材と移動部材との相互間に作用する弾性部材により、譜面板の操作の際に自動的に行なわれる。また、方向制限手段により、前記移動部材が前記立設パスと倒伏パスとの接続箇所にあるときに、該移動部材の倒伏パスから立設パスへの移動が許容され、逆方向の移動が阻止されるので、譜面板の立設及び倒伏の操作で、移動部材が立設パス、倒伏パス等に循環され、繰り返し操作が可能となる。このように、簡単な構造に基づき、譜面板の安定した立設状態を得ることができ、且つ容易に立設及び倒伏をさせることができる。
【発明の効果】
【００１５】
以上の通り、本発明によれば、譜面板の高さを十分に確保しつつ、天板等の譜面板設置台の奥行長を短くすることができる譜面台装置を提供することができる。
【発明を実施するための最良の形態】
【００１６】
以下、本発明の実施形態について添付図面を参照しつつ説明する。なお説明に用いる図面においては、同一又は同種の部分に同じ番号を付して説明を省略することがある。
【００１７】
図１は、本発明を電子鍵盤楽器に適用した例を示している。図１は、電子鍵盤楽器１の縦断側面図であり、前後に２分割され、中間でそれらをヒンジ部で結合した鍵盤蓋２を有している。この電子鍵盤楽器１は、白鍵３及び黒鍵４、楽音の発生及び制御のための電子回路及びスピーカ（図示省略）等を備え、これらを楽器本体に収容している。楽器本体は、棚板５、口棒６、背板７、左右の側板８、天板９、脚１９等を備えている。楽器本体のケースの中には、図示を省略した楽音の制御装置、そのためのスイッチやコントローラ、電源装置、液晶ディスプレイ、接続端子等が装着されている。天板９の上面には、該天板を設置台として、譜面板を立倒自在に設ける譜面台装置３０が装着されている。
【００１８】
図２は電子鍵盤楽器における譜面台装置３０を中心に示す縦断側面図、図３はその側部の平面図、図４は図３におけるIV-IV線断面図である。この譜面台装置３０は、譜面板４０を立倒自在に支持し、且つ倒伏状態で前後方向に移動可能とするものである。図２には、譜面板４０を倒して前方へ引き寄せた状態を実線で、倒したまま後方へ移動させた状態及び立設状態を二点鎖線で示している。天板９には、立設状態にある譜面板４０に対応した位置に上面へ開く凹所が形成され、その中に譜面受け４０ａが設けられている。
【００１９】
譜面台装置３０は、天板９に固定され使用者に対する接近離反方向（前後方向）に延びるガイド部材３１と、該ガイド部材にガイドされて摺動し、使用者に対し接近する側への前進及び離反する側への後退が可能な被ガイド部材３２とを備えている。
【００２０】
被ガイド部材３２は、細長いプレートであり、長手方向が天板９の前後方向に向くように配置される。ガイド部材３１は、被ガイド部材３２を幅方向及び厚さ方向に取り囲む鞘部３１ａと、底壁３１ｂとを備え、底壁３１ｂがビス３１ｃにより天板９に固定されている。被ガイド部材３２は、ガイド部材３１により鞘部３１ａに出入りする方向に摺動自在に支持される。
【００２１】
被ガイド部材３２の先端部には、譜面板４０への結合のための取付け部材４１が固着されている。取付け部材４１は、譜面板４０に接する平板部４１ａと該平板部の中央から垂直に延びる突片４１ｂとがＴ字状をなすように一体的に形成されており、倒伏状態にある譜面板４０に対して突片４１ｂが平板部４１ａから垂下するように取り付けられる。突片４１ｂは、被ガイド部材３２の一方の面（この例では、図３における左側の面）にビス等により固着される。譜面板４０は、このように取付け部材４１を介して被ガイド部材３２に支持される。
【００２２】
被ガイド部材３２における突片４１ｂ取付け側と反対側の面には、軸部５１が取り付けられている。軸部５１は、細長い小片であり、譜面板が倒伏状態にあるときに長手方向が水平となるように被ガイド部材３２にビスなどにより固着されており、両端面は後述する受容部５２内で回動し得る円弧状となっている。
【００２３】
軸部５１に対応して、天板９におけるガイド部材３１の前方には受容部５２が取り付けられている。受容部５２は、相互に垂直をなす２つの部分により正面視Ｌ字状をなし、天板９に一方の平板部５２ａを固定され、他方は起立した起立部５２ｂの先端部に、Ｃ字状部５２ｃを備える。Ｃ字状部５２ｃは、円形の一部に開口５２ｄを設けた形状をなす。Ｃ字状部５２ｃにおける開口５２ｄに臨む部分の内、上方の部分には、径方向内方への突起部５２ｅが設けられている。これは、後述する保持位置にある軸部５１の回動を係止するためのものである。
【００２４】
譜面板４０の軸部５１は、被ガイド部材３２及び譜面板４０と共にガイド部材３１にガイドされて奥行方向に移動する。受容部５２は、譜面板４０が後端（使用者に対する離反側の摺動端）まで移動したとき軸部５１を受け入れる位置に設けられている。図５は、受容部５２が軸部５１を受け入れて回動可能に支持するに至る状態を示している。すなわち、図５（ａ）は、譜面板４０が倒された状態で後方へ移動する途中であって軸部５１が受容部５２に到達する前の状態、図５（ｂ）は軸部５１が受容部５２に到達し、開口５２ｄからＣ字状部分５２ｃ内に受け入れられた状態、図５（ｃ）は譜面板４０を立てる回動動作と共に軸部５１がＣ字状部分５２ｃ内で回動した状態を示している。このように、軸部５１及び受容部５２は譜面板４０の回動の中心となる回動支持部５０を構成している。
【００２５】
この譜面台装置はさらに、譜面板を立てた状態に保持し且つ該保持を解除し得るロック機構６０を備えている。ロック機構６０は、ロック主要部材としての移動部材６１と、ロック直前の移動及びロック解除時等に奥行方向の移動を許容するために使用する弾性部材としての圧縮バネ６３と、これらを保持するための枠部６２とからなるロック機能部材と、脱離部６４ｂと保持部６４ａとを備えたロック部材（移動部材６１）を仮止めする仮止め部材６４と、制止部材６６及び押圧部６７を有している。
【００２６】
移動部材６１は、直方体形状のブロックであり、ガイド部材３１の鞘部３１ａに固定された枠部６２に案内されて天板９の前後方向に摺動可能とされ、該移動部材６１の後端部と枠部６２後端面との間に配置された圧縮コイルばね６３により前方へ付勢されている。
【００２７】
移動部材６１の直下には、仮止め部材６４が配置されている。この例では、天板９に上面に開く凹所６０ａが形成され、仮止め部材６４は該凹所６０ａの側壁に支持された回動軸６５により後端部を支持されて上下方向へ回動可能とされ、該仮止め部材の底面と凹所６０ａの底部との間に設けられた圧縮コイルばね６８により上方へ付勢されている。
【００２８】
仮止め部材６４は、移動部材６１を載せる幅及び該移動部材を前後方向に摺動させ得る長さを有し、全体として平板状をなす。仮止め部材６４の上面には、上方へ突出する保持部６４ａ及び脱離部６４ｂが形成されている。これらの詳細は、後述する。
【００２９】
ロック機構は、構成要素としてさらに、移動部材６１と協働する制止部材６６及び押圧部６７を備えている。制止部材６６は、この例では、前述の取付け部材４１の後部に一体的に形成されており、譜面板４０と共に動作する。この制止部材６６は、譜面板が後端部に移動され軸部５１が受容部５２に受け入れられた状態で、次の作用をなすように設けられている。すなわち、図５に示すように、譜面板４０が倒伏状態（図５（ａ））にあるときに制止部材６６の後端面は、取付け部材４１の平板部４２から直線状に垂下しその下端から譜面板の回動軸を中心に円弧状に延びる。これらの直線状部分及び円弧状部分は、軸部５１が受容部５２に受け入れられた状態（図５（ｂ））で譜面板４０が倒伏状態から立設状態に至るまでの範囲にあるときに、移動部材６１を後方へ押しやる当接部６６ａとなっている。
【００３０】
さらに、譜面板が立設状態（図５（ｃ））になったときにおける制止部材６６の後端に位置する部分は、前記当接部６６ａの円弧状部分の下端から水平方向に軸部５１側へ延び、軸部５１の手前で垂直に下方へ延びており、これら水平方向部分及び垂直方向部分に囲まれた凹入部６６ｂを形成している。凹入部６６ｂは、譜面板４０が立設状態に至ったときに、当接部６６ａから外れてばね６３の付勢力に従って前進する移動部材６１を受け入れる。移動部材６１は、凹入部６６ｂの垂直方向部分に前面を接して前進を制止される。一方、制止部材６６は、凹入部６６ｂの水平方向部分が移動部材６１の上面に接して譜面板倒伏方向への回動を制止され、譜面板４０の立設状態が保持される。このとき、軸部５１はＣ字状部分５２ｃの突起部５２ｅに当接する。これにより軸部５１及び譜面板は前方への移動を阻止される。移動部材６１がこのように凹入部６６ｂに係合するに至った位置を保持位置と称することとする。
【００３１】
譜面板４０が立設状態にあるときに、取付け部材４１における下方へ延びた部分の先端部は、押圧部６７となっている。軸部５１の中心から押圧部６７までの距離を十分にとることにより、軸部５１が受容部５２に受け入れられた状態で、譜面板を立設状態からさらに立てる方向に回動すると、押圧部６７は、移動部材６１をばね６３の付勢力に抗して保持位置から後退させる。
【００３２】
前述の仮止め部材６４は、これらの動作に関係して以下のように、構成されている。図６Ａ〜図６Ｂは、受容部５２に軸部５１が受け入れられた状態で、譜面板４０が倒伏状態から立設状態へ、さらに再び倒伏状態へと変化した場合の各部を動きを示している。図６Ｂ（３）は、図５（ｃ）に相当する状態を示しており、移動部材６１は保持位置にある。この状態から譜面板４０をさらに起こす方向へ回動すると、図６Ｂ（４）に示すように、取付け部材４１に形成された押圧部６７により、移動部材６１は保持位置から後方へ移動させられる。そして、図６Ｃ（５）に示すように、さらに回動したときに移動部材６１が位置する箇所に前述の保持部６４ａが設けられている。保持部６４ａは、突出部の後端面が垂直に形成されており、移動部材６１の前端面に係合して該移動部材の前進を阻止する。保持部６４ａの位置は、該保持部に係合して位置を保持された移動部材６１が、譜面板４０を再び倒す方向へ回動しても制止部材６６の当接部６６ａに接触しないように決められる。また、この操作に必要な譜面板４０の回動量は、通常の立設状態から使用者が明らかに回動操作を意識できる程度で且つ操作が面倒なほど大きな回動角とならないのが望ましい。これは、例えば、譜面板を略垂直な状態への回動とすることができる。
【００３３】
仮止め部材６４の脱離部６４ｂは、次のようにして決められる。図６Ｃ（５）の状態から、次に譜面板４０を元の方向へ倒すと、図６Ｃ（６）に示すように、取付け部材４１に形成された押圧部６７は、移動部材６１から離反する。このとき、移動部材６１は保持部６４ａにより位置を保持される。さらに譜面板４０を倒したときに取付け部材４１の先端部に係合する位置に脱離部６４ｂが設けられる。脱離部６４ｂの上方への突出量は、係合した取付け部材４１が脱離部６４ｂを乗り越えるときに、仮止め部材６４を回動軸６５回りにばね６８に抗して下方へ回動させ、その結果、移動部材６１が保持部６４ａから外れるように設定される。
【００３４】
以下、この実施形態に係る譜面台装置の使用方法について説明する。譜面板を使用しないときは、通常、図１の実線部分に示すように、譜面板は倒伏状態とされ、ガイド部材３１の前方（使用者側）の端部に移動されている。この状態から使用者は、手で譜面板４０を後方（離反側）へ移動する。この移動は、ガイド部材３１に沿って行なわれ、譜面板４０に取り付けられた軸部５１は受容部５２に受け入れられる位置に至る（図６Ａ（１））。このとき、ばね６３により前方に位置していた移動部材６１は、取付け部材４１後端部の当接部６６ａによりやや後方へ押しやられる。
【００３５】
この位置で、使用者は譜面板４０を起こす（図６Ａ（２））。譜面板４０が立設状態に至るまでは、移動部材６１は当接部６６ａに接している。譜面板４０が立設状態に至ると、移動部材６１は当接部６６ａから外れ、凹入部６６ｂに係合した保持位置をとる（図６Ｂ（３））。これにより、譜面板４０は立設状態を保持する。
【００３６】
この状態から譜面板４０を倒す際には、譜面板４０をさらに起こす方向に回動する。これにより、移動部材６１は押圧部６７により後方へ移動させられる（図６Ｂ（４））。さらに譜面板４０が起こされると、押圧部６７に押された移動部材６１は仮止め部材６４の保持部６４ａに係合し、位置を保持される（図６Ｃ（５））。使用者は、移動部材６１が保持部６４ａに係合したことを、譜面板４０に伝わるクリック感で感じ取ることができる。
【００３７】
この後、使用者は、譜面板４０を元の方向へ倒す（図６Ｃ（６））。移動部材６１は、保持部に係合して位置を保持されているので、譜面板を倒す方向へ回動しても制止部材６６の当接部６６ａに接触しない。或る程度譜面板を倒すと、取付け部材４１の先端部が脱離部６４ｂに係合する（図６Ｄ（７））。これに伴って、仮止め部材６４は回動軸６５回りに下方へ回動する。さらに譜面板を倒すと、取付け部材４１先端部は脱離部６４ｂを乗り越える状態となり、このとき移動部材６１は保持部６４ａから外れ、ばね６３の作用により前進し、取付け部材４１の当接部６６ａに当接する（図６Ｄ（８））。
【００３８】
この後、使用者は、譜面板４０をさらに倒す方向へ回動し、これに伴って移動部材６１は、当接部６６ａとの接触箇所を円弧状部分に沿って移動させる（図６Ｅ（９）〜図６Ｆ（１２））。そして、譜面板４０が倒伏状態となったとき、移動部材６１は当接部６６ａの直線状部分に当接する（図６Ｇ（１３））。この状態では、譜面板４０は天板９上の摺動範囲の後端部にある。使用者は、譜面板４０をガイド部材３１に沿って前方へ引き寄せ、摺動前端に至らせることにより、倒伏作業が完了する。このように、譜面板４０を倒伏状態で立設状態より前方へ引き寄せた状態とすることができるので、譜面板４０の高さを天板９の奥行き寸法より大きくして譜面を安定的に支持できるようにしても、倒伏時に譜面板が天板９の後端から後方へ突出するのを回避することができる。
【００３９】
この例においては、取付け部材４１の一部により、当接部６６ａ、押圧部６７を形成しているが、これらの部分は別個の部材とすることもできる。また、移動部材６１は、ガイド部材３１の側面に取り付けられているが、これと切り離して設けてもよい。
【００４０】
次に、本発明の他の実施形態について説明する。
【００４１】
図７及び図８は、本発明の他の実施形態を示し、図７は譜面板４０を立てた状態、図８は譜面板４０を倒した状態を示している。この譜面台装置３０ａは、楽器本体（図示省略）の天板９を設置台としてその上に設けられている。
【００４２】
譜面台装置３０ａは、譜面板４０の幅にほぼ等しい幅を有して前後方向（使用者に対する接近離反方向）に延びる平板状をなし天板９に固定されたガイド部材７０を備えている。ガイド部材７０は、前後端が上方へ突出してストッパ７１を形成し、上面には前後方向に延びる１対のガイドレール７２を備えている。
【００４３】
ガイド部材７０の上には被ガイド部材８０が載置されている。被ガイド部材８０も平板状をなし、譜面板４０の幅にほぼ等しい幅を有し前後方向の長さはガイド部材７０より短く、倒した譜面板４０を天板９上に納めるための摺動台を形成している。ガイド部材７０の底面には前後方向に延びる１対の摺動溝８１が形成され、ガイドレール７２に嵌合して譜面板の摺動の案内をなす。被ガイド部材８０の前端部には、倒した譜面板４０を水平に納めるのに必要な高さに上方へ延びた支持板８２が設けられている。
【００４４】
譜面板４０は、下端のヒンジ４４を回動部として支持板８２の上端部に支持され立倒自在とされている。譜面板４０は本体部が平板状をなし、下端部に前方へ延びる譜面受け４５を一体的に備えている。
【００４５】
譜面板４０の背面中央部には、支持棒９１が回動軸９２により上下方向に回動可能に結合されている。また、被ガイド部材８０の上面には前後方向の複数箇所（この例では２箇所）に係止突起９３を備えた係止板９４が固定されている。支持棒９１は、下端を係止突起９３のいずれかに係止することにより、異なる傾斜角をもって譜面板４０を立設状態とする。支持棒９１を係止突起９３に係合させずに前方へ回動して譜面板４０に沿わせると、譜面板を後方へ倒すことができる。このように、支持棒９１、回動軸９２，係止突起９３及び支持板９４は、譜面板を立てた状態に保持し且つ該保持を解除し得るロック機構９０の役割をなす。
【００４６】
この譜面台装置３０ａは、譜面板４０を立てた状態で使用するときには、図７に示すように、ロック機構９０により譜面板４０を立設状態とし、被ガイド部材８０をガイド部材７０上の後端部又はいずれかの位置におくことができる。一方、譜面板４０の倒伏状態においては、被ガイド部材８０をガイド部材７０の前端部に置くことができる。
【００４７】
したがって、譜面板４０の高さを天板９の奥行き寸法より大きくして譜面を安定的に支持できるようにしても、倒伏状態で譜面板４０を被ガイド部材８０の前端へ摺動させることができるので、倒伏時に譜面板が天板９の後端から後方へ突出するのを回避することができる。
【００４８】
図９は、本発明のさらに他の実施形態に係る譜面台装置３０ｂを示している。この譜面台装置３０ｂは、図７及び図８の実施形態で示したものと同様のガイド部材７０を備え、天板９を設置台として設けられている。ガイド部材７０上には平板状の被ガイド部材１００が載置され、図７及び図８の実施形態と同様に、ガイド部材７０のガイドレールに被ガイド部材１００の摺動溝が嵌合して、被ガイド部材を前後方向に摺動可能としている。
【００４９】
図示のように、被ガイド部材１００の幅方向両端部には、譜面板１１０を回動可能に支持する支持部材１２０が設けられている。支持部材１２０は、前面１２１が、立設状態の譜面板の前面と同一平面をなすように傾斜している。該支持部材１２０が相互に向き合う側面は、譜面板１１０の軸１１１を受け入れて回動可能に支持し、譜面板を立倒自在とする回動支持部を構成している。支持部材１２０の背面１２２は、譜面板１１０の軸１１１を中心とした円弧面となっている。
【００５０】
譜面板１１０は、下端の両端部が支持部材１２０を受け入れるように切欠かれており、該切欠の上端面からは小円柱状の移動部材１３１が下方へ延びている。
【００５１】
支持部材１２０の背面１２２には、移動部材１３１を案内するガイド溝１３２が形成されている。このガイド溝１３２は、譜面板１１０を立てる方向に回動するときに移動部材１３１を案内する立設パス１３２ａと、譜面板を倒す方向に回動するときに移動部材１３１を案内する倒伏パス１３２ｂと、該立設パス１３２ａ及び倒伏パス１３２ｂの間における譜面板立設側の端部付近に形成され譜面板を立設状態に保持するように移動部材１３１を受け入れる保持パス１３２ｃとを備えている。立設パス１３２ａの立設側端部は該立設パスを横切る方向に延びる第１連絡パス１３２ｄにより保持パス１３２ｃに連絡されている。保持パス１３２ｃの立設側端部は第１連絡パス１３２ｄよりも立設側の位置にあり該保持パス１３２ｃを横切る方向に延びる第２連絡パス１３２ｅにより倒伏パス１３２ｂに連絡されている。また、立設パス１３２ａ及び倒伏パス１３２ｂは倒伏側部分において相互に接続している。
【００５２】
さらに、１対の支持部材１２０が相互に向き合う側面には、板ばね１３３，１３４が取付けられている。一方の支持部材１２０（図の右側）には、側面の前寄りに板ばね１３３が取り付けられている。板ばね１３３は、譜面板１１０が立設状態になるときに該譜面板の切欠きの側面に接して譜面板１１０を他方の支持部材１２０の方へ押圧する。譜面板切欠きの側面との接触を円滑にするため、板ばね１３３は、譜面板の倒伏側から立設側に向けて支持部材１２０の側面から次第に離反するように傾斜している。この押圧により、移動部材１３１は譜面板の移動に伴って、立設パス１３２ａの立設側端部に位置したときに第１連絡パス１３２ｄを経て保持パス１３２ｃへ移動し、保持パス１３２ｃの立設側端部に位置したときに第２連絡パス１３２ｅを経て倒伏パスへ１３２ｂへ移動する。
【００５３】
他方の支持部材１２０（図の左側）には、該側面の背面寄りに板ばね１３４が取り付けられている。板ばね１３４は、譜面板１１０が倒伏状態になるときに該譜面板の切欠きの側面に接して譜面板１１０を反対側の支持部材１２０の方へ押圧する。譜面板切欠きの側面との接触を円滑にするため、板ばね１３４も、譜面板の立設側から倒伏側に向けて支持部材１２０の側面から次第に離反するように傾斜している。この押圧により、移動部材１３１が立設パス１３２ａと倒伏パス１３２ｂとの接続箇所にあるときに、該移動部材の倒伏パス１３２ｂから立設パス１３２ａへの移動を許容し、逆方向の移動を阻止する方向制限手段が形成されている。
【００５４】
このようにして、移動部材１３１、ガイド溝１３２、板ばね１３３，１３４は、譜面板を立てた状態に保持し、且つ該保持を解除し得るロック機構１３０を構成している。
【００５５】
この譜面台装置３０ｂを使用するには、先ず、倒伏状態にある譜面板１１０を手で起こし、立設位置まで回動すればよい。これにより、譜面板と共に移動部材１１２が移動し、ガイド溝１３２の立設パス１３２ａの立設側端部まで来ると、板ばね１３３の作用により、第１連絡パス１３２ｄを経て保持パス１３２ｃに至る。ここで、手を離すと移動部材１３１は譜面板１１０の自重により保持パス１３２ｃの下端に移動する。これにより、立設状態が安定的に保たれる。次に譜面板１１０を倒すときは、再度譜面板を起こす方向に回動させる。これにより、移動部材１３１も移動し、保持パス１３２ｃの上端部まで来ると、再び板ばね１３３の作用により、第２連絡パス１３２ｅを経て倒伏パス１３２ｂに至る。ここで譜面板１１０を倒していくと、移動部材１３１は倒伏パス１３２ｂを下降していく。譜面板１１０が倒伏状態に至ったとき、移動部材１３１は倒伏パス１３２ｂの下端に達する。この位置で移動部材は、板ばね１３４の作用により、譜面板１１０を介して立設パス１３２ａの方に付勢力を受けている。したがって、再び譜面板１１０を起こすように回動すると、移動部材１３１は確実に立設パス１３２ａをたどることとなる。
【００５６】
譜面板１１０は、被ガイド部材１００と共に前後方向に摺動可能であるので、倒伏状態で前方へ引き寄せることにより、前述の実施形態と同様に、倒伏時に譜面板が天板９の後端から後方へ突出するのを回避することができる。
【００５７】
なお、この実施形態において、板ばねは、支持部材１２１に代えて、譜面板１１０の切欠き部の側面に設けることもできる。また、板ばねと同様の傾斜を有する接触部材とコイルばねとの組み合わせ等、種々の弾性部材を用いた構造を採用することができる。さらに、板ばね１３４によって構成された方向制限手段は、これに代え、種々の手段を採用することができる。例えば、方向制御手段は、ガイド溝１３２の倒伏パス１３２ｂから立設パス１３２ａに至る箇所に装着され、立設パス側へ撓んで移動部材１３１を通すが、逆方向への撓みを制限されて移動部材１３１が立設パス１３２ａから倒伏パス１３２ｂへ進入するのを阻止する板ばね片により構成することもできる。
【００５８】
図１０は、本発明に係る譜面台装置のさらに他の例を示している。この譜面台装置３０ｃは、図９の実施形態と同様のガイド部材（図示省略）に案内される被ガイド部材１００上に装着されている。図１０（ａ）に示すように、譜面板１５０は、平板状をなし、回動支持部である丁番１５１により下端部を被ガイド部材１００に前後方向へ回動自在に取り付けられている。
【００５９】
譜面板１５０の背面の中央部には、１対の挟持板１６１が起立して設けられ、該挟持板１６１に挟まれた支持棒１６３が、ピン１６２により上下方向に回動自在に支持されている。
【００６０】
譜面板１５０を支持する被ガイド部材１００上には、平板状の支持部材１７０が水平に取り付けられている。支持部材１７０の上面には、支持棒１６３の下端部を案内するガイド溝１７１が形成されている。図１０（ｂ）に示すように、支持棒１６３の下端部には、抜け止めリング１６４が嵌められており、ガイド溝１７１は、下部が抜け止めリング１６４を受け入れる幅とされ、上部は支持棒１６３より僅かに広い幅とされて、支持棒１６３の下端部を溝内に保持している。したがって、支持棒１６３は、ガイド溝を移動する移動部材として機能する。このガイド溝１７１は、譜面板１５０を立てる方向に回動するときに支持棒１６３を案内する立設パス１７１ａと、譜面板を倒す方向に回動するときに支持棒１６３を案内する倒伏パス１７１ｂと、該立設パス１７１ａ及び倒伏パス１７１ｂの間における譜面板立設側の端部付近に形成され譜面板を立設状態に保持するように支持棒１６３を受け入れる保持パス１７１ｃとを備えている。立設パス１７１ａの立設側端部は該立設パスを横切る方向に延びる第１連絡パス１７１ｄにより保持パス１７１ｃに連絡されている。保持パス１７１ｃの立設側端部は第１連絡パス１７１ｄよりも立設側の位置にあり該保持パスを横切る方向に延びる第２連絡パス１７１ｅにより倒伏パス１７１ｂに連絡されている。また、立設パス１７１ａ及び倒伏パス１７１ｂは倒伏側部分において相互に接続している。
【００６１】
支持部材１７０は、垂直に延び被ガイド部材１００に達する軸１７２により、垂直軸線回りに回動可能に被ガイド部材１００に装着されている。そして、支持部材１７０には、該支持部材を第２連絡パスから見て第１連絡パス側へ回転させるように付勢力が与えられている。この実施形態では、支持部材１７０の倒伏パス１７１ｂ側の側壁における保持パス寄りの部分、及び立設パス１７１ａ側の側壁の倒伏パスとの接続箇所寄りの部分に各々板ばね１７３ａ、１７３ｂが配置され各々被ガイド部材１００に固定され、支持部材１７０を押圧している。
【００６２】
これにより、支持棒１６３は譜面板の移動に伴って、立設パス１７１ａの立設側端部に位置したときに第１連絡パス１７１ｄを経て保持パス１７１ｃへ移動し、保持パス１７１ｃの立設側端部に位置したときに第２連絡パス１７１ｅを経て倒伏パスへ１７１ｂ移動する。また、板ばね１７３ａ，１７３ｂにより、支持部材１７０は図において右回りに回転しようとするため、支持棒１６３が立設パス１７１ａと倒伏パス１７１ｂとの接続箇所にあるときに、該移動部材の倒伏パス１７１ｂから立設パス１７１ａへの移動を許容し、逆方向の移動を阻止するのであり、これにより方向制限手段が形成されている。
【００６３】
このようにして、支持棒１６３、支持部材１７０及びそのガイド溝１７１、軸１７２、板ばね１７３ａ，１７３ｂは、譜面板を立てた状態に保持し、且つ該保持を解除し得るロック機構１６０を構成している。
【００６４】
この譜面台装置３０ｃを使用するには、先ず、倒伏状態にある譜面板１５０を手で起こし、立設位置まで回動すればよい。これにより、譜面板と共に支持棒１６３が移動し、ガイド溝１７１の立設パス１３２ａの立設側端部まで来ると、板ばねの作用により、第１連絡パス１７１ｄを経て保持パス１７１ｃに至る。ここで、手を離すと支持棒１６３は譜面板１５０の自重で支持棒１６３を保持パス１７１ｃの後端に移動させる。これにより、立設状態が安定的に保たれる。次に譜面板１５０を倒すときは、再度譜面板を起こす方向に回動させる。これにより、支持棒１６３も移動し、保持パス１７１ｃの前端まで来ると、再び板ばねの作用により、第２連絡パス１７１ｅを経て倒伏パス１７１ｂに至る。ここで譜面板１５０を倒していくと、支持棒１６３は倒伏パス１７１ｂを後方へ移動していく。譜面板１５０が倒伏状態に至ったとき、支持棒１６３は倒伏パス１７１ｂの後端に達する。この位置で支持部材１７０は、板ばねの作用により立設パス１７１ａを支持棒１６３の方に移動させるように付勢力を受けている。したがって、再び譜面板１１０を起こすように回動すると、支持棒１６３は確実に立設パス１７１ａをたどることとなる。
【００６５】
譜面板１５０は、被ガイド部材１００と共に前後方向に摺動可能であるので、倒伏状態で前方へ引き寄せることにより、前述の実施形態と同様に、倒伏時に譜面板が天板９の後端から後方へ突出するのを回避することができる。
【００６６】
なお、この実施形態において、板ばねは、支持部材１７０の一箇所又は３箇所以上に設けることもできる。また、板ばねに代えてコイルばね等種々の弾性部材を使用することができる。さらに、板ばねの付勢力を利用して構成された方向制限手段は、これに代え、種々の手段を採用することができる。例えば、方向制御手段は、ガイド溝１７１の倒伏パス１７１ｂから立設パス１７１ａに至る箇所に装着され、立設パス側へ撓んで支持棒１６３を通すが、逆方向への撓みを制限されて支持棒１６３が立設パス１７１ａから倒伏パス１７１ｂへ進入するのを阻止する板ばね片により構成することもできる。
【００６７】
なお、上記の各実施形態は、そのロック機構、すなわち、譜面板が立設状態に至ったときに移動部材を保持位置に至らせることにより譜面板を該立設状態に保持し、譜面板を立設状態からさらに立てる方向に回動した後、元の側へ倒すときに、移動部材を保持位置から外して譜面板を倒伏可能とする機構に着目した場合は、ガイド部材及び被ガイド部材を省略し、譜面板を前後方向に固定した状態で、天板等の設置台に直接装着することもできる。
【図面の簡単な説明】
【００６８】
【図１】本発明の一実施形態に係る譜面台装置を有した鍵盤楽器を概略的に示す縦断側面図である。
【図２】図１の鍵盤楽器の譜面台装置を中心に示す縦断側面図である。
【図３】図１の鍵盤楽器の譜面台装置を中心に示す平面図である。
【図４】図３のIV-IV線に沿う断面図である。
【図５】図１に示す譜面台装置の要部の詳細をその動作と共に示す説明図である。
【図６Ａ】図１に示す譜面台装置の動作を順を追って示す説明図である。
【図６Ｂ】図１に示す譜面台装置の動作を順を追って示す説明図である。
【図６Ｃ】図１に示す譜面台装置の動作を順を追って示す説明図である。
【図６Ｄ】図１に示す譜面台装置の動作を順を追って示す説明図である。
【図６Ｅ】図１に示す譜面台装置の動作を順を追って示す説明図である。
【図６Ｆ】図１に示す譜面台装置の動作を順を追って示す説明図である。
【図６Ｇ】図１に示す譜面台装置の動作を順を追って示す説明図である。
【図７】本発明の他の実施形態に係る譜面台装置を譜面板立設状態で示す側面図である。
【図８】図７に示す譜面台装置を譜面板倒伏状態で示す側面図である。
【図９】本発明のさらに他の実施形態に係る譜面台装置を譜面板立設状態で示す斜視図である。
【図１０】本発明のさらに他の実施形態に係る譜面台装置を譜面板立設状態で示す斜視図である。
【符号の説明】
【００６９】
１：電子鍵盤楽器、  ２：鍵盤蓋、  ９：天板（設置台）、  ３０，３０ａ、３０ｂ、３０ｃ：譜面台装置、  ３１、７０：ガイド部材、  ３２、８０、１００：被ガイド部材、  ４０、１１０、１５０：譜面板、  ４１：取付け部材、  ５０、４４、１１１、１５１：回動支持部、  ５１：軸部、  ５２：受容部、  ６０、９０、１３０、１６０：ロック機構、  ６１、９１、１３１、１６３：移動部材、  ６３：圧縮バネ（弾性部材）、  ６４：仮止め部材、  ６４ａ：保持部、  ６４ｂ：脱離部、  ６６：制止部材、  ６６ａ：当接部、  ６６ｂ：凹入部、  ６７：押圧部、  １３２、１７１：ガイド溝、  １２０、１７０：支持部材、  １３２ａ、１７１ａ：立設パス、  １３２ｂ、１７１ｂ：倒伏パス、  １３２ｃ、１７１ｃ：保持パス
【図１】
2005128353.tif 000003
【図２】
2005128353.tif 000004
【図３】
2005128353.tif 000005
【図４】
2005128353.tif 000006
【図５】
2005128353.tif 000007
【図６Ａ】
2005128353.tif 000008
【図６Ｂ】
2005128353.tif 000009
【図６Ｃ】
2005128353.tif 000010
【図６Ｄ】
2005128353.tif 000011
【図６Ｅ】
2005128353.tif 000012
【図６Ｆ】
2005128353.tif 000013
【図６Ｇ】
2005128353.tif 000014
【図７】
2005128353.tif 000015
【図８】
2005128353.tif 000016
【図９】
2005128353.tif 000017
【図１０】
2005128353.tif 000018